(57)【要約】【課題】建具枠や障子において段差を跨いで気密材を当接させた場合に隙間の発生を抑制できる建具を提供すること。【解決手段】本発明の建具は、上枠、下枠２２および左右の縦枠２３を備える窓枠２０と、上框、下框３２および左右の縦框３３と、各框に保持される面材とを備える障子３０と、窓枠２０および障子３０の一方に取り付けられて他方に当接する気密材４２，４３とを備える。窓枠２０および障子３０の他方において気密材４２，４３が当接する当接面には、上枠、下枠２２および縦枠２３が重なることで形成される段差、あるいは上框、下框３２および縦框３３が重なることで形成される段差が設けられる。段差を跨いで配置される気密材４２は、段差に対応する位置にスリット４８が形成されている。【選択図】図６
2015229823.tif 000002
【特許請求の範囲】
【請求項１】
上枠、下枠および左右の縦枠を備える建具枠と、
上框、下框および左右の縦框と、各框に保持される面材とを備える障子と、
前記建具枠および前記障子の一方に取り付けられて他方に当接する気密材とを備え、
前記建具枠および前記障子の他方において前記気密材が当接する当接面には、前記上枠、下枠および縦枠が重なることで形成される段差あるいは前記上框、下框および縦框が重なることで形成される段差が設けられ、
前記段差を跨いで配置される前記気密材は、前記段差に対応する位置にスリットが形成されている
ことを特徴とする建具。
【請求項２】
請求項１に記載の建具において、
前記気密材は、前記建具枠および前記障子の一方に取り付けられる基部と、前記基部から延出されて前記当接面に当接する延出部とを有し、
前記スリットは前記延出部に形成され、前記スリットの深さ寸法は、前記段差の高さ寸法以上に設定されている
ことを特徴とする建具。
【請求項３】
請求項１または請求項２に記載の建具において、
前記気密材は、前記段差に対応する位置を含み、かつ、前記気密材の長手方向に沿った所定範囲に設定されるスリット形成部を有し、
前記スリット形成部には、前記気密材の長手方向に沿って所定の間隔で複数本の前記スリットが形成されている
ことを特徴とする建具。
【請求項４】
請求項３に記載の建具において、
前記気密材は、前記スリット形成部と前記気密材の長手方向の端部との間に、スリットが形成されていないスリット非形成部を備える
ことを特徴とする建具。
【請求項５】
請求項１から請求項４のいずれか一項に記載の建具において、
前記建具は、既設窓を備える建物開口の室内側に設けられた前記建具枠と、前記建具枠に固定された前記障子とを備える内窓である
ことを特徴とする建具。
【発明の詳細な説明】
【技術分野】
【０００１】
本発明は、建物の壁の開口等に取り付けられる建具枠と、この建具枠に取り付けられる障子とを備える建具であって、建具枠および障子の一方に他方に当接する気密材が設けられた建具に関する。
【背景技術】
【０００２】
窓枠および障子を有する建具においては、窓枠と障子との間に気密材を設ける建具が知られている。
このような建具として、例えば、特許文献１では、障子にパイルウェザーストリップを取り付け、このパイルウェザーストリップを窓枠に当接させることで気密性、水密性を確保した建具が開示されている。この建具では、障子は上下框および左右の竪框を四角枠状に組み立てており、パイルウェザーストリップは上下框、竪框の長手方向に沿ってそれぞれ取り付けられている。
【先行技術文献】
【特許文献】
【０００３】
【特許文献１】特許第３９１３６０６号公報
【発明の概要】
【発明が解決しようとする課題】
【０００４】
ところで、ビルなどにおいて、既設窓の内側に、断熱性能や遮音性能を向上させるために内窓を取り付ける改修が行われることがある。このような内窓は、例えば、既設窓の窓枠や窓開口部に内窓用の窓枠を固定し、この内窓用の窓枠内に障子を配置することで施工される。
内窓用の窓枠は、上枠、下枠および左右の縦枠を施工現場で既設窓の窓枠等に取り付けるが、窓枠の公差などの影響を施工現場で調整できるように、上枠および下枠の左右の端部と、縦枠の上下の端部の一部を重ねて配置し、この重なり量を調整できるようにしている。このため、前記上下枠と縦枠との接合部に段差が生じる。
【０００５】
障子に取り付けた気密材を前記段差を跨いで配置すると、気密材と窓枠との間に隙間が生じ、気密性能が低下する。気密材として、前記特許文献１のパイルウェザーストリップを用いた場合には、前記段差にある程度追従するが、前記隙間を無くすことができず、気密性能は低下する。
窓枠側に気密材を取付け、この気密材が当接する障子の框の接合部分に段差が生じている場合も、同様に隙間が発生するという問題が生じる。
【０００６】
本発明の目的は、建具枠や障子において段差を跨いで気密材を当接させた場合に隙間の発生を抑制できる建具を提供することにある。
【課題を解決するための手段】
【０００７】
本発明の建具は、上枠、下枠および左右の縦枠を備える建具枠と、上框、下框および左右の縦框と、各框に保持される面材とを備える障子と、前記建具枠および前記障子の一方に取り付けられて他方に当接する気密材とを備え、前記建具枠および前記障子の他方において前記気密材が当接する当接面には、前記上枠、下枠および縦枠が重なることで形成される段差あるいは前記上框、下框および縦框が重なることで形成される段差が設けられ、前記段差を跨いで配置される前記気密材は、前記段差に対応する位置にスリットが形成されていることを特徴とする。
【０００８】
本発明によれば、例えば、気密材を取り付けた障子を建具枠内に組み込んで固定し、前記気密材を建具枠に当接して、障子および建具枠間の気密性を確保する。
この際、気密材が当接する建具枠の当接面には、前記上枠、下枠と縦枠とが重なることで段差が設けられているとする。例えば、上下枠には前記気密材が当接する当接面として第一面が設けられ、前記縦枠には前記気密材が当接する当接面として前記第一面よりも障子に近接する第二面とが設けられているとする。この場合、前記第一面および第二面は前記段差を挟んで設けられる。そして、前記気密材は前記段差に対応する位置にスリットを形成している。このため、気密材は、前記第一面に当接する第一当接部と、第二面に当接する第二当接部とをスリットを挟んで形成できる。従って、第一当接部と第二当接部とは、前記スリットによって独立して変形することができ、第二当接部を前記段差寸法分だけ第一当接部よりも潰すことができる。よって、本発明によれば、気密材の第一当接部は前記第一面に密着でき、第二当接部は前記第二面に密着でき、段差部分に隙間が生じることを抑制できる。気密材が建具枠側に取り付けられ、前記気密材が当接する障子の当接面に、上框、下框と縦框とが重なることで段差が設けられている場合も、同様に隙間が生じることを抑制できる。これにより、建具における気密性、遮音性、水密性を向上できる。
【０００９】
本発明の建具において、前記気密材は、前記建具枠および前記障子の一方に取り付けられる基部と、前記基部から延出されて前記当接面に当接する延出部とを有し、前記スリットは前記延出部に形成され、前記スリットの深さ寸法は、前記段差の高さ寸法以上に設定されていることが好ましい。
【００１０】
前記気密材は、建具枠や障子の一方に取り付けられる基部と、他方の当接面に当接する延出部とを有し、スリットを延出部に形成している。このため、基部にはスリットが形成されていないので、スリットによって基部の剛性が低下することも防止でき、建具枠や障子に対する気密材の取付強度が低下することも防止できる。
また、スリットの深さ寸法を段差の高さ寸法以上に設定しているので、気密材のスリットを挟んで配置される各当接部を、前記段差を挟んで配置される各面に確実に密着できる。これにより、段差部分に隙間が生じることを防止でき、建具における気密性、遮音性、水密性を向上できる。
【００１１】
本発明の建具において、前記気密材は、前記段差に対応する位置を含み、かつ、前記気密材の長手方向に沿った所定範囲に設定されるスリット形成部を有し、前記スリット形成部には、前記気密材の長手方向に沿って所定の間隔で複数本の前記スリットが形成されていることが好ましい。
【００１２】
前記スリットを複数本形成していれば、例えば、施工現場で建具枠を組み立てる際に公差により段差の位置にばらつきが生じても、前記複数本のいずれかのスリットが段差位置に対応し、あるいは段差位置に近接するため、隙間が生じることを防止でき、あるいは、隙間の面積を最小限に抑制できる。
【００１３】
本発明の建具において、前記気密材は、前記スリット形成部と前記気密材の長手方向の端部との間に、スリットが形成されていないスリット非形成部を備えることが好ましい。
気密材の端部にスリットが形成されていないスリット非形成部を備えていれば、気密材の端部までスリットが形成されている場合に比べて、気密材の延出部の剛性を向上できる。このため、スリットで分断された気密材が倒れてスリット部分に隙間が生じることも防止でき、建具における気密性、遮音性、水密性を向上できる。
【００１４】
本発明の建具において、前記建具は、既設窓を備える建物開口の室内側に設けられた前記建具枠と、前記建具枠に固定された前記障子とを備える内窓であることが好ましい。
本発明によれば、建物開口において既設窓の室内側に前記建具枠を取り付け、この建具枠に前記障子を固定することで、既設窓の室内側に内窓を構成できる。したがって、既設窓を外窓および内窓の二重窓に容易に改修でき、断熱性能の向上による省エネルギー効果を高めることができ、かつ、遮音効果も向上できる。
【発明の効果】
【００１５】
本発明によれば、建具枠や障子において段差を跨いで気密材を当接させた場合に隙間の発生を抑制できる建具を提供できる。
【図面の簡単な説明】
【００１６】
【図１】本発明の実施形態に係る建具である内窓を示す縦断面図。
【図２】前記実施形態に係る内窓を示す横断面図。
【図３】前記実施形態に係る内窓を示す内観姿図。
【図４】前記実施形態に係る気密材を示す斜視図。
【図５】前記実施形態に係る内窓の要部を示す斜視図。
【図６】前記実施形態に係る内窓の要部を示す斜視図。
【図７】前記実施形態に係る気密材を示す説明図。
【図８】本発明の比較例に係る気密材を示す説明図。
【図９】本発明の他の形態の気密材を示す説明図。
【発明を実施するための形態】
【００１７】
以下、本発明の実施形態を図１〜７に基づいて説明する。
図１〜３において、本実施形態に係る建具である内窓１０は、既設窓である外窓２の内側に設けられた窓である。
本実施形態では、既設の外窓２は、ビル等の建物の開口部に配置されて建物の躯体に固定された二点鎖線で示す窓枠３と、窓枠３に押縁を用いて固定されるガラス板などの面材４とを備えた一般的な固定窓（はめ殺し窓、ＦＩＸ窓）である。
【００１８】
内窓１０は、建具枠である窓枠２０と、障子３０とを備えた固定窓（はめ殺し窓、ＦＩＸ窓）である。
窓枠２０は、外窓２の窓枠３にネジ２５で固定されている。なお、窓枠２０は、建物の開口部において外窓２の室内側に固定されていればよく、外窓２の窓枠３ではなく建物の壁（躯体）に直接固定してもよい。
窓枠２０は、アルミ製の押出形材製の上枠２１、下枠２２および左右の縦枠２３，２３を四周枠組みして構成されている。
【００１９】
上枠２１は、図１に示すように、上枠室外片部２１１と、上枠見込み片部２１２と、上枠室内片部２１３とを有して構成されている。上枠室外片部２１１の上端は上枠見込み片部２１２の室外端部と連続している。上枠見込み片部２１２の室内端部は上枠室内片部２１３の上端と連続している。
【００２０】
上枠見込み片部２１２には、シール材２１２Ａが装着されている。シール材２１２Ａは、断面円形のロープ状のシール材であり、上枠２１に形成された保持溝に圧入されている。シール材２１２Ａは、上枠２１を外窓２の窓枠（上枠）３にネジ２５で固定した際に窓枠３に密着して、内窓１０の気密性、遮音性および水密性を向上させている。
【００２１】
上枠室外片部２１１の見付け方向幅寸法（上下方向幅寸法）は、上枠室内片部２１３の見付け方向幅寸法（上下方向幅寸法）よりも長く形成されている。このため、上枠室外片部２１１の下端部は、上枠室内片部２１３の下端部よりも下方まで延長されている。
上枠室外片部２１１と上枠室内片部２１３とは、見込み方向に所定間隔隔てて互いに対向して配置されている。上枠室外片部２１１および上枠室内片部２１３間の空間は、障子３０を窓枠２０にケンドン式に吊り込む際に上框３１が差し込まれる差し込み空間として利用される。
【００２２】
下枠２２は、図１に示すように、下枠室外片部２２１と、下枠見込み片部２２２と、下枠室内片部２２３とを有して構成されている。下枠室外片部２２１の下端は下枠見込み片部２２２の室外端部と連続している。下枠見込み片部２２２の室内端部は下枠室内片部２２３の上下端間の中間部と連続している。
【００２３】
下枠見込み片部２２２には保持溝が形成され、この保持溝にはシール材２１２Ａと同様のシール材２２２Ａが圧入されている。シール材２２２Ａは、下枠２２を外窓２の窓枠（下枠）３にネジ２５で固定した際に窓枠３に密着して、内窓１０の気密性、遮音性および水密性能を向上させている。
【００２４】
下枠室外片部２２１の見付け方向幅寸法（上下方向幅寸法）は、下枠室内片部２２３の見付け方向幅寸法（上下方向幅寸法）よりも長く形成されている。このため、下枠室外片部２２１の上端部は、下枠室内片部２２３の上端部よりも上方まで延長されている。
下枠室外片部２２１と下枠室内片部２２３とは、見込み方向に所定間隔隔てて互いに対向して配置されている。下枠室外片部２２１および下枠室内片部２２３間の空間は、障子３０を窓枠２０にケンドン式に吊り込む際に下框３２が落とし込まれる落とし込み空間として利用される。
【００２５】
左右の縦枠２３は、それぞれ、図２に示すように、縦枠室外片部２３１と、縦枠見込み片部２３２と、縦枠室内片部２３３とを有して構成されている。縦枠室外片部２３１の見付け方向外側の端部は縦枠見込み片部２３２の室外端部と連続している。縦枠見込み片部２３２の室内端部は縦枠室内片部２３３の見付け方向内側の端部側と連続している。
【００２６】
縦枠見込み片部２３２には保持溝が形成され、この保持溝にはシール材２１２Ａと同様のシール材２３２Ａが圧入されている。シール材２３２Ａは、縦枠２３を外窓２の窓枠（縦枠）３にネジ２５で固定した際に窓枠３に密着して、内窓１０の気密性、遮音性および気密性を向上させている。
【００２７】
縦枠室外片部２３１の見付け方向幅寸法（左右方向幅寸法）は、縦枠室内片部２３３の見付け方向幅寸法（左右方向幅寸法）よりも長く形成されている。このため、各縦枠２３の縦枠室外片部２３１の先端部は、縦枠室内片部２３３の先端部よりも対向する他の縦枠２３側に延長されている。
縦枠室外片部２３１と縦枠室内片部２３３とは、見込み方向に所定間隔隔てて互いに対向して配置されている。
【００２８】
なお、本実施形態では、上枠２１と、下枠２２と、縦枠２３とは、それぞれ断面形状および断面寸法が異なる押出形材で構成されている。すなわち、下枠室外片部２２１と縦枠室外片部２３１との見付け方向幅寸法は互いに等しいが、上枠室外片部２１１はこれらの見付け方向幅寸法よりも長くされている。
また、上枠室内片部２１３の見付け方向幅寸法は下枠室内片部２２３の見付け方向幅よりも長く、下枠室内片部２２３の見付け方向幅寸法は縦枠２３の縦枠室内片部２３３の見付け方向幅寸法よりも長くされている。
後述するように、上枠室外片部２１１、下枠室外片部２２１、縦枠室外片部２３１は、障子３０を窓枠２０内にケンドン式で組み込んだ際に、障子３０が外窓２側に脱落しないように障子３０の上框３１、下框３２、縦框３３の室外側に配置されている。そして、障子３０に取り付けられた気密材（エアータイト材、ＡＴ材、シール材）４０が上枠室外片部２１１、下枠室外片部２２１、縦枠室外片部２３１の室内面（当接面）に当接することで窓枠２０および障子３０間がシールされている。
また、上枠室外片部２１１、下枠室外片部２２１、縦枠室外片部２３１の前記見付け方向幅寸法は、障子３０をケンドン式で窓枠２０に組み込むことができるように設定されている。
さらに、縦枠２３の縦枠見込み片部２３２には、障子外れ止めネジ２３４が互いに対向する縦枠２３側に向かって取り付けられている。
【００２９】
障子３０は、図１〜３に示すように、上框３１、下框３２および左右の縦框３３を四周框組みした内部に、パネルとしてガラスパネル３５を嵌め込んで構成されている。上框３１、下框３２および左右の縦框３３には、気密材４０がそれぞれ装着されている。
気密材４０は、上框３１に取り付けられる上框側気密材４１と、下框３２に取り付けられる下框側気密材４２と、縦框３３に取り付けられる縦框側気密材４３とを備えている。
【００３０】
上框３１は、上框室外片部３１１と、上框見込み片部３１２と、上框室内片部３１３と、差し込み片部３１４と、ガスケット３１５とを有して構成されている。
上框室外片部３１１は、上框見込み片部３１２の室外端部と連続している。上框見込み片部３１２の室内端部は、上框室内片部３１３の上下端間の中間部に連続している。差し込み片部３１４は、上框見込み片部３１２の室外端部および室内端部間の中間部に連続している。上框室内片部３１３の上部および差し込み片部３１４は、上框見込み片部３１２の前記室外端部および前記中間部から対応する枠に向う方向（上方）に延出して形成されている。上框室外片部３１１および上框室内片部３１３は、上框見込み片部３１２の室外端部および室内端部から、上框室内片部３１３の上部および差し込み片部３１４とは反対の方向（下方）に延出して形成されている。
【００３１】
上框室外片部３１１の室外側には、上框側気密材４１が嵌合される嵌合溝３１１Ａが形成されている。嵌合溝３１１Ａは、上框室外片部３１１の室外側面から室外側に向かって延出し、かつ先端が互いに接近するように略Ｌ字状に突出形成された一対の溝形成部によって形成されている。
【００３２】
ガスケット３１５は、上框室外片部３１１と上框見込み片部３１２と上框室内片部３１３とによって形成される凹状溝部に取り付けられている。ガスケット３１５は、断面Ｕ字状のゴム製ガスケットであり、ガラスパネル３５の上部を挟持している。
【００３３】
下框３２は、図１に示すように、下框室外片部３２１と、下框見込み片部３２２と、下框室内片部３２３と、差し込み片部３２４と、ガスケット３２５とを有して構成されている。下框３２は、上框３１と上下反対に設置されているが同じ断面形状の押出形材で構成されている。このため、下框３２の各構成は、上框３１と同様であるため、詳細な説明を省略する。
なお、下框側気密材４２は、下框室外片部３２１の室外側に形成された嵌合溝３２１Ａに嵌合されている。
【００３４】
縦框３３は、縦框室外片部３３１と、縦框見込み片部３３２と、縦框室内片部３３３と、見付け方向外側の縦框延出片部３３４と、ガスケット３３５とを有して構成されている。
縦框室外片部３３１の見付け方向外側の端部は、縦框見込み片部３３２と連続している。縦框見込み片部３３２の室外端部は、縦框延出片部３３４の見付け方向内側の端部と連続している。縦框見込み片部３３２の室内端部は、縦框室内片部３３３の両端部間の中間部と連続している。
【００３５】
縦框延出片部３３４の見付け方向外側の端部には、室内側に延出した延出部３３４１が形成されている。
そして、縦框延出片部３３４および延出部３３４１には、障子３０を窓枠２０内にケンドン式で取り付けるために、障子３０を持ち上げた際に前記障子外れ止めネジ２３４が挿通可能な溝が形成されている。そして、障子３０を窓枠２０内に落とし込むと、前記延出部３３４１が障子外れ止めネジ２３４の室外側に配置される。これにより、障子３０の延出部３３４１が障子外れ止めネジ２３４に当接することで、障子３０が室内側に外れることを防止できる。
【００３６】
縦框室内片部３３３は、縦框延出片部３３４よりも外周側つまり外窓２の窓枠３側に延長されている。縦框室内片部３３３において、前記縦框延出片部３３４の延出部３３４１に対向する位置には、前記延出部３３４１に向かって室外側に演出された延出部３３３１が形成されている。
縦框室外片部３３１と縦框室内片部３３３の内側部分とは、見込み方向に所定間隔隔てて互いに対向して配置されている。
【００３７】
縦框室外片部３３１の室外側には、縦框側気密材４３が嵌合される嵌合溝３３１Ａが形成されている。嵌合溝３３１Ａは、嵌合溝３１１Ａと同様に形成されているので詳細な説明を省略する。
ガスケット３３５は、ガスケット３１５と同様に形成されており、縦框室外片部３３１と縦框見込み片部３３２と縦框室内片部３３３の内側部分とによって形成される空間に設けられている。ガスケット３３５は、ガラスパネル３５の側部を挟持している。
【００３８】
縦框３３には、縦框３３内部に配置される図示略のスライド部品を上下に移動する内窓固定用操作部品３６が取り付けられている。この内窓固定用操作部品３６を、前記スライド部品の上端が障子外れ止めネジ２３４に当接する固定位置に移動すると、障子３０を持ち上げることができなくなる。したがって、障子３０を取り外すことができないように固定できる。
一方で、内窓固定用操作部品３６を下方に移動して、スライド部品を障子外れ止めネジ２３４の下方に離すと、その離間寸法分は障子３０を持ち上げることができるようになる。従って、障子３０を取り外すことができる。
さらに、障子３０の四隅部分には、合成樹脂製のコーナーカバー３８が取り付けられている。
【００３９】
障子３０に装着された気密材（ＡＴ材、エアータイト材、シール材）４０は、前述したように、上框側気密材４１、下框側気密材４２、縦框側気密材４３を備えている。
縦框側気密材４３は、縦框３３に沿って縦方向に配置されている。同様に、上框側気密材４１は上框３１に沿って、下框側気密材４２は下框３２に沿って、それぞれ横方向に配置されている。
各気密材４１〜４３は、同一断面形状の合成樹脂製の成形品で構成されている。合成樹脂の材料は熱可塑性エラストマー等、適宜選択できるが、例えば、ＴＰＯ（サーモポリオレフィン）、ＥＰＤＭ（エチレンプロピレンジエン三元共重合体）、ＰＶＣ（ポリ塩化ビニル）などが利用できる。
各気密材４１〜４３は、図４に示すように、上框３１、下框３２、縦框３３の嵌合溝３１１Ａ、３２１Ａ、３３１Ａに装着される基部４５と、基部４５から室外側に延出した延出部４６とを有して構成されている。
基部４５および延出部４６は、基部４５が延出部４６よりも剛性の高い樹脂で成形された二色成形品である。したがって、延出部４６は、基部４５よりも高い弾性を有して構成されている。
【００４０】
基部４５は、本体部４５１と、挿入片部４５２と、圧入片部４５３と、支持片部４５４とを有して構成されている。また、本体部４５１と挿入片部４５２と支持片部４５４とによって凹部４５０Ａが形成されており、本体部４５１と圧入片部４５３と支持片部４５４とによって凹部４５０Ｂが形成されている。凹部４５０Ａ、４５０Ｂは、嵌合溝３１１Ａ、３２１Ａ、３３１Ａを形成する溝形成部の先端が配置可能に構成されている。
【００４１】
挿入片部４５２は、本体部４５１の断面幅方向（各框３１，３２，３３の見付け方向）の一方側に突出して形成されている。
圧入片部４５３は、本体部４５１の断面幅方向の他方側、つまり挿入片部４５２とは反対側に突出して形成されている。圧入片部４５３の嵌合溝３１１Ａ、３２１Ａ、３３１Ａの底面に対向する面（室内側の面）は傾斜面４５３Ａとされている。また、圧入片部４５３の基端部には凹状溝４５３Ｂが形成されている。
支持片部４５４は、本体部４５１の断面幅方向に突出して形成されている。このため、支持片部４５４は、挿入片部４５２および圧入片部４５３と略平行に配置されている。
【００４２】
延出部４６は、支持片部４５４の断面幅方向の両端から連続して形成され、支持片部４５４から室外側に向かって直線状に延びた一対の突出片部４６１と、各突出片部４６１間に跨がって形成されて室外側に向かって膨らむ円弧状の当接片部４６２とを有して構成されている。
【００４３】
突出片部４６１と当接片部４６２との連結部分の内面には凹状溝が形成されており、前記連結部は薄肉部とされている。このため、当接片部４６２は窓枠２０に当接した際に、基部４５側に容易に変位しやすい構成となっている。
【００４４】
ここで、上框側気密材４１および下框側気密材４２の延出部４６には、図４に示すように、スリット４８（切れ込み）が所定位置に設けられている。すなわち、上框３１および下框３２に取り付けられる各気密材４１、４２の左右方向の両端から所定寸法Ｌ１だけ内側の位置にスリット４８が形成されている。
スリット４８は、図５〜７に示すように、窓枠２０に障子３０を組み込んだ際に、上枠２１や下枠２２の上枠室外片部２１１、下枠室外片部２２１と、縦枠２３の縦枠室外片部２３１とが見込み方向に重なって配置されることで生じる段差部、すなわち縦枠室外片部２３１の先端面２３１Ａの位置に合わせて形成されている。
【００４５】
上枠２１、下枠２２と、縦枠２３とは、上枠２１、下枠２２の上枠室外片部２１１、下枠室外片部２２１の室内面に、縦枠２３の縦枠室外片部２３１の室外面を当接させた状態で窓枠３に固定される。このため、上枠室外片部２１１、下枠室外片部２２１の室内面と、縦枠室外片部２３１の室内面との間には、図７に示すように、高さ寸法Ｔが先端面（段差部）２３１Ａの見込み方向の厚さ寸法とされた段差が生じる。
このため、前記スリット４８の深さ寸法Ｄは、少なくとも前記段差部２３１Ａの高さ寸法Ｔ以上の寸法に設定されている。ただし、深さ寸法Ｄが大きくなると、延出部４６の剛性が低下する。従って、スリット４８の深さ寸法Ｄは、段差部２３１Ａの高さ寸法Ｔ以上で、できるだけ小さいほうが好ましい。
なお、縦框側気密材４３の延出部４６は、段差部２３１Ａに跨がって配置されないため、スリットも形成されていない。
【００４６】
図５〜７に示すように、障子３０が窓枠２０に固定された場合に、下框側気密材４２の延出部４６の当接片部４６２は、下枠室外片部２２１に密着した状態となる。この際、下框側気密材４２の両端部は、図６に示すように、縦框側気密材４３の下側に配置されている。このため、下框側気密材４２は、下枠室外片部２２１と縦枠室外片部２３１とが重なることで形成される段差部２３１Ａに跨がって配置される。
この際、図４，６に示すように、下框側気密材４２には、段差部２３１Ａの位置に合わせてスリット４８が形成され、延出部４６の当接片部４６２は、スリット４８を挟んで下枠室外片部２２１に当接する第一当接部である第一当接片部４６２Ａと、縦枠室外片部２３１に当接する第二当接部である第二当接片部４６２Ｂとを備える。すなわち、下框側気密材４２の左右両端部に第二当接片部４６２Ｂが配置され、それらの第二当接片部４６２Ｂ間に第一当接片部４６２Ａが配置されている。
【００４７】
そして、障子３０が窓枠２０に固定された場合に、下框側気密材４２の第一当接片部４６２Ａは下枠室外片部２２１に当接し、第二当接片部４６２Ｂは縦枠室外片部２３１に当接する。この際、図６に示すように、第二当接片部４６２Ｂはスリット４８によって、第一当接片部４６２Ａと独立して基部４５側に潰すことができる。このため、下枠室外片部２２１および縦枠室外片部２３１が見込み方向に重なることで段差が生じても、図７に示すように、第一当接片部４６２Ａは下枠室外片部２２１に密着し、第二当接片部４６２Ｂは縦枠室外片部２３１に密着するため、段差部２３１Ａにおける隙間の発生を抑制でき、気密性、遮音性、水密性を向上できる。
一方で、下框側気密材４２にスリット４８が形成されていない場合は、図８に示すように、段差部２３１Ａに隙間５０が発生し、気密性、遮音性、水密性が低下する。
【００４８】
なお、上框側気密材４１も下框側気密材４２と同様に、当接片部４６２にスリット４８が形成されて、上枠室外片部２１１に当接する第一当接部である第一当接片部４６２Ａと、縦枠室外片部２３１に当接する第二当接部である第二当接片部４６２Ｂとを備える。このため、上枠室外片部２１１および縦枠室外片部２３１が見込み方向に重なることで段差が生じても、第一当接片部４６２Ａは上枠室外片部２１１に密着し、第二当接片部４６２Ｂは縦枠室外片部２３１に密着するため、段差部における隙間の発生を抑制でき、気密性、遮音性、水密性を向上できる。
【００４９】
［内窓の施工手順］
以下、本実施形態に係る内窓１０の施工において、障子３０を窓枠２０に取り付ける手順について説明する。
先ず、障子３０の各上框３１、下框３２、縦框３３の長さに合わせて、各気密材４１〜４３の長さ寸法を設定し、これらの気密材４１〜４３を各框３１〜３３に装着する。この際、気密材４０は、各框３１〜３３の嵌合溝３１１Ａ、３２１Ａ、３３１Ａの端部開口から嵌合溝３１１Ａ、３２１Ａ、３３１Ａ内にスライドして取り付ければよい。
また、本実施形態の気密材４１〜４３は、圧入片部４５３を弾性変形させることで、各框３１〜３３の室外面側から嵌合溝３１１Ａ、３２１Ａ、３３１Ａに押し込むことで取り付けることもできる。具体的には、基部４５の挿入片部４５２を嵌合溝３１１Ａ、３２１Ａ、３３１Ａに挿入する。次に、圧入片部４５３の傾斜面４５３Ａを溝形成部の先端に当接して押し付け、凹状溝４５３Ｂによって薄肉部とされた部分で弾性変形させながら当該圧入片部４５３を嵌合溝３１１Ａ、３２１Ａ、３３１Ａに圧入する。圧入後、圧入片部４５３は元の形状に復元する。このようにして各気密材４１〜４３を各框３１〜３３に装着してもよい。
【００５０】
次に、障子３０を窓枠２０に対しケンドン式に吊り込む。この吊り込みは、先ず障子３０を持ち上げて上框３１を上枠２１に差し込み、次に障子３０を傾動させて窓枠２０に沿って配置する。この際、前述のとおり、障子外れ止めネジ２３４が縦框延出片部３３４および延出部３３４１の溝を挿通し、縦框３３内部に配置される。
そして、障子３０の下框３２を窓枠２０の下枠２２内に落とし込むと、延出部３３４１が障子外れ止めネジ２３４の室外側に配置され、障子３０が窓枠２０内に固定される。
【００５１】
なお、障子３０を窓枠２０から取り外す手順は、前述した取り付け手順とは逆順である。つまり、障子３０を持ち上げて下框３２を室内側に移動させ、さらに障子３０全体を窓枠２０から抜き出すことで障子３０を取り外せばよい。
【００５２】
［本実施形態の効果］
（１）段差部２３１Ａを跨いで配置される上框側気密材４１、下框側気密材４２の延出部４６において、段差部２３１Ａに対応する位置にスリット４８を形成し、当接片部４６２を第一当接片部４６２Ａと第二当接片部４６２Ｂに分離したので、上枠室外片部２１１および下枠室外片部２２１に第一当接片部４６２Ａを密着し、縦枠室外片部２３１に第二当接片部４６２Ｂを密着することができる。このため、段差部２３１Ａにおける隙間の発生を抑制でき、内窓１０の気密性、遮音性、水密性を向上できる。
【００５３】
（２）スリット４８は、上框側気密材４１、下框側気密材４２の延出部４６において所定の位置に切り込みを加工することで形成できるので、容易に加工できる。従って、内窓１０の気密性、遮音性、水密性を低コストで効果的に向上させることができる。
（３）上框側気密材４１、下框側気密材４２の端部からスリット４８の形成位置までの第二当接片部４６２Ｂ部分には他のスリットが形成されていないので、第二当接片部４６２Ｂの剛性を高めることができる。このため、第二当接片部４６２Ｂが縦枠室外片部２３１に当接して圧縮される場合に、第二当接片部４６２Ｂが斜めに倒れてスリット４８部分に隙間が生じることも防止できる。
（４）スリット４８は延出部４６部分のみに形成され、基部４５には形成されていない。このため、嵌合溝３１１Ａ、３２１Ａ、３３１Ａ内に気密材４０の基部４５を差し込んで気密材４０を装着する際に、基部４５をスムーズに差し込むことができ、気密材４０の装着作業性も向上できる。
【００５４】
（５）気密材４０（上框側気密材４１、下框側気密材４２、縦框側気密材４３）は、基部４５および延出部４６を備え、延出部４６は基部４５に比べて弾性の高い樹脂材料で構成しているので、延出部４６の当接片部４６２が窓枠２０に当接した際に密着でき、高い気密性能、遮音性能、水密性能を発揮できる。
【００５５】
［変形例］
なお、本発明は以上の実施形態で説明した構成のものに限定されず、本発明の目的を達成できる範囲での変形例は、本発明に含まれる。
例えば、前記実施形態では、上框側気密材４１、下框側気密材４２の両端部から寸法Ｌ１の位置に１本のスリット４８を形成していたが、図９に示すように、複数本のスリット４８を形成してもよい。
すなわち、図９（Ａ）に示すように、上框側気密材４１、下框側気密材４２の延出部４６において、両端部から長手方向に沿った寸法Ｌ２の所定範囲は、スリットが形成されていないスリット非形成部４６Ｂに設定され、このスリット非形成部４６Ｂに隣接する長手方向に沿った寸法Ｌ３の所定範囲は、複数本のスリット４８が形成されたスリット形成部４６Ａに設定されている。また、上框側気密材４１、下框側気密材４２において、両端部の近傍に形成された前記スリット形成部４６Ａ間は、スリットが形成されていないスリット非形成部４６Ｃに設定されている。
スリット形成部４６Ａにおけるスリット４８は、所定間隔（例えば１ｍｍ間隔）で所定本数（例えば９本）形成すればよい。このスリット４８の間隔や本数は実施にあたって適宜設定すればよい。
【００５６】
このように複数本のスリット４８が形成されたスリット形成部４６Ａを設ければ、図９（Ｂ）に示すように、段差部２３１Ａの位置が各部品の公差などで多少ずれた場合でも、いずれかのスリット４８が段差部２３１Ａの位置に対応したり、近接する。このため、そのスリット４８部分から端部側を縦枠室外片部２３１に当接する第二当接片部４６２Ｂとし、その他の部分を上枠室外片部２１１や下枠室外片部２２１に当接する第一当接片部４６２Ａとすることができる。このため、段差部２３１Ａに隙間が生じることを防止でき、あるいは隙間が生じてもその面積を最小限に抑制できる。従って、内窓１０における気密性、遮音性、水密性を向上できる。
その上、上框側気密材４１や下框側気密材４２の端部にスリット非形成部４６Ｂを設定したので、気密材の端部までスリットが形成されている場合に比べて、延出部４６の剛性を向上できる。このため、スリット４８で分断された部分が倒れてスリット４８部分に隙間が生じることも防止でき、内窓１０における気密性、遮音性、水密性を向上できる。
同様に、スリット形成部４６Ａ間にスリット非形成部４６Ｃを設定したので、第一当接片部４６２Ａ部分に位置するスリット４８がスリット非形成部４６Ｃ側に倒れてスリット４８部分に隙間が生じることも防止でき、内窓１０における気密性、遮音性、水密性を向上できる。
【００５７】
また、気密材４０の断面形状は前記実施形態に限定されず、少なくとも各框３１〜３３に固定される基部と、基部から延出されて各枠２１〜２３に当接する延出部を備えるものであればよい。
さらに、気密材４０は、前記実施形態のような二色成形品に限定されず、基部４５および延出部４６を、弾性を有する同じ樹脂材料で構成した樹脂成形品であってもよい。
【００５８】
前記実施形態では、上框側気密材４１、下框側気密材４２にスリット４８を形成していたが、縦框側気密材４３が段差部を跨いで配置される場合には縦框側気密材４３にスリットを形成してもよい。
また、障子３０が段差部を備え、この段差部を跨いで配置される気密材４０を窓枠２０に装着する場合に、本発明を適用してもよい。
【００５９】
内窓１０としては、固定窓（ＦＩＸ窓）に限らず、引違い窓や内開き窓等でもよい。また、本発明の建具は、外窓２の内側に改修で設けられる内窓１０に限定されず、ＦＩＸ窓、引違い窓などのサッシ窓でもよい。さらに、本発明の建具は、サンルームの窓部分や、テラス屋根、カーポート等の面材を保持する障子と、この障子が組み込まれる建具枠とを備える各種の建具に利用できる。すなわち、本発明は、建具枠または障子に装着した気密材を、段差部を有する当接面に当接させる場合に広く利用できる。
【符号の説明】
【００６０】
１０…建具枠である内窓、２０…窓枠、２１…上枠、２２…下枠、２３…縦枠、３０…障子、３１…上框、３２…下框、３３…縦框、３５…面材であるガラスパネル、４０…気密材、４１…上框側気密材、４２…下框側気密材、４３…縦框側気密材、４５…基部、４６…延出部、４６Ａ…スリット形成部、４６Ｂ…スリット非形成部、４６Ｃ…スリット非形成部、４８…スリット、２３１Ａ…段差部（先端面）、４６２Ａ…第一当接片部、４６２Ｂ…第二当接片部、Ｄ…深さ寸法、Ｔ…高さ寸法（段差寸法）。
【図１】
2015229823.tif 000003
【図２】
2015229823.tif 000004
【図３】
2015229823.tif 000005
【図４】
2015229823.tif 000006
【図５】
2015229823.tif 000007
【図６】
2015229823.tif 000008
【図７】
2015229823.tif 000009
【図８】
2015229823.tif 000010
【図９】
2015229823.tif 000011